(57)【特許請求の範囲】
【請求項１】
赤ん坊または幼児（２）用のキャリア装置であって、保持装着システムと、前記保持装着システムと連結される収容部（１６）とを備え、前記保持装着システムが２つの肩ベルト（５）を有し、かつ、担い手の体のサイズに適合可能であり、前記収容部（１６）が、前記２つの肩ベルト（５）の間で、担われる赤ん坊または幼児（２）用の収容空間（３）を規定するキャリア装置において、前記収容部（１６）は、少なくとも１つの端部領域（１３）を有し、前記端部領域（１３）が前記保持装着システムを超えて伸張し、前記保持装着システムと位置調節可能に連結されており、これにより、前記収容空間（３）のサイズが、担われる赤ん坊または幼児（２）のサイズに合わせられるようにしたことを特徴とするキャリア装置。
【請求項２】
前記収容部（１６）と、前記保持装着システムとの間には、２つの第一の連結部と、前記第一の連結部よりも下方に配置された２つの第二の連結部とが存在し、前記２つの第二の連結部の少なくとも１つにおいて、前記収容部（１６）が前記保持装着システムと位置調節可能に連結されていることを特徴とする請求項１に記載のキャリア装置。
【請求項３】
前記収容部（１６）が前記保持装着システムと位置調節可能に連結されている少なくとも１つの連結部は、リング（７、８）対により形成されており、前記収容部（１６）の端部領域（１３）は、前記リング（７、８）対を通って導かれ、前記リング（７、８）対により変位可能に挟まれていることを特徴とする請求項１または２に記載のキャリア装置。
【請求項４】
前記肩ベルト（５）の双方の端部は、前記双方のリング（７、８）の少なくとも１つにより、環を形成して閉じられていることを特徴とする請求項３に記載のキャリア装置。
【請求項５】
前記リング（７、８）対は、前記肩ベルト（５）に固定されていることを特徴とする請求項３に記載のキャリア装置。
【請求項６】
少なくとも１つのリング（７、８）は、位置調節可能なように前記肩ベルト（５）に配されていることを特徴とする請求項３または４に記載のキャリア装置。
【請求項７】
前記収容部（１６）と、前記保持装着システムとの間の前記第一の連結部は、開放可能なプラスチックバックルにより形成されており、ここで、一方のプラスチックバックル部分が前記保持装着システムに設けられており、他方のプラスチックバックル部分は、前記収容部（１６）から高い方向へ導かれているベルトストラップに設けられていることを特徴とする請求項２に記載のキャリア装置。
【請求項８】
前記収容部（１６）と前記保持装着システムとの間の少なくとも１つの第一の連結部は、解除可能ではないことを特徴とする請求項２に記載のキャリア装置。
【請求項９】
前記収容空間（３）は、クッションが入っている、または、補強されていることを特徴とする請求項１〜８のいずれか１項に記載のキャリア装置。
【発明の詳細な説明】
【技術分野】
【０００１】
本発明は、赤ん坊または幼児用のキャリア装置であって、保持装着システムと、保持装着システムと連結される収容部とを備え、この保持装着システムが２つの肩ベルトを有し、収容部が、２つの肩ベルトの間で、担われる赤ん坊または幼児用の収容空間を規定するキャリア装置に関する。
【背景技術】
【０００２】
例えば特許文献１には、この種のキャリア装置が示されているが、このキャリア装置は、２つの肩ベルトを備えた肩ベルトシステムを有する。これには、ベルトストラップにより、子供の周りに形成可能な収容部が、位置調節可能に固定されている。収容部は、覆いを形成するが、これが子供と共に大きくなることはできない。ベルトストラップの長さのみが位置調節可能で、子供が大きくなるにしたがって、肩ベルトに対する両側の隙間が大きくなる。
しかし、この隙間が大きくなることにより、当初存在した担い手および子供にとっての担う（担われる）際の快適さが悪くなる。このキャリア体に加えてまたはこれに代えて、スリング、すなわち布のキャリアを、肩ベルトシステムを閉じるためないし締めるために掛けることもできる。特許文献２からはさらなる類似のキャリア装置が公知であるが、これについても、上述の欠点、すなわち、収容部が子供と共に大きくならないという欠点が該当する。
さらに、このキャリア装置では、収容部が均等に引っ張られていないので、赤ん坊または子供が均等に支えられていない。これとは逆に、布のキャリアは、子供を理想的に支持し、成長する子供に常に合わせることができるが、しかし、結び付けるのが面倒であるという欠点がある。
【先行技術文献】
【特許文献】
【０００３】
【特許文献１】米国特許第５，６７８，７３９号明細書
【特許文献２】米国特許出願公開第２００９／００２６２３５号明細書
【発明の概要】
【０００４】
【発明が解決しようとする課題】
【０００５】
本発明の目的は、収容部を位置調節して、成長する幼児／赤ん坊の被覆を維持し、幼児または赤ん坊が成長するにもかかわらず、保持装着システムに対して隙間が大きくなるのを、少なくとも一方の側で回避することである。
【課題を解決するための手段】
【０００６】
本発明によれば、この目的は、以下により、すなわち、収容部が、少なくとも１つの端部領域により少なくとも保持装着システムまで伸張し、この保持装着システムと位置調節可能に連結されていることにより、収容空間のサイズを、担われる赤ん坊または幼児のサイズに合わせうることにより達成される。
【０００７】
保持装着システムから突出する１つまたは２つの端部領域を、中央部分をより大きくするために、および、成長する子供のサイズに合わせるために引き入れることができる。したがって、収容空間は共に大きくなる。したがって、赤ん坊は、生後すぐから幼児の年代まで、様々な担い位置で、整形外科的に正しく担われる。赤ん坊または幼児は、均等に引っ張られた収容部により、および、均等の押圧力により、均等に支持され、かつ覆われ、整形外科的に正しいカエル足の姿勢が可能となる。赤ん坊または幼児は、その顔または背中を担い手の体につけて担われ、ここで、担い手の背中、上半身および側方で（この場合、双方の肩ベルトが担い手の１つの肩で交差する）担うことが可能になる。取り扱いは容易で、使用は安全で、担い手には快適である。横たわった位置では、赤ん坊は、収容部内で、布のキャリアないしスリング内にいるのとほぼ同じ様に担われうる。
【０００８】
連結を可能にするために、保持装着システムには、少なくとも１つの連結部材、例えば１つまたは複数のリングが配されうる。この際、連結部材は、例えば肩ベルト（例えばその上方および／または下方端部）、または、例えば肩ベルト間の連結ベルト、または、例えば肩ベルトと腰ベルトとの間の連結ベルトに、解除可能にまたは解除不可能に位置づけられうる。
【０００９】
さらに、保持装着システムは、追加的に収容部に連結されることができ、ここで収容される子供の体のサイズに合わせることできるので有用である。収容部と保持装着システムとのさらなる１つまたは複数の連結部が以下のように構成されうる場合、有用である。すなわち、収容部ないし収容空間が、その高さに応じて、所定の位置に保持され、下方に滑り落ちることができず、結果として、赤ん坊または幼児の上背部が追加的に支持されて、ないし、赤ん坊または幼児がキャリア装置から後方にひっくり返らない場合、有用である。ある好適な実施形態では、収容部と保持装着システムとの間に、上方に２つ、下方に２つの連結部が設けられており、収容部が、双方の下方の連結部のうちの少なくとも１つに位置調節可能に連結されている。上方の連結部で追加的に位置調節することも可能である。
【００１０】
収容部は、連結部材なしに保持装着システムに、位置調節可能に連結することもできる。これは、例えば、収容部の１つまたは２つの端部領域を、保持装着システムの後方に、例えば２つの肩ベルトの後方に、および／または、２つの肩ベルト間ないし肩ベルトと腰ベルトとの間にある連結ベルトの後方に、導くことにより行われる。保持装着システムないし肩ベルトを越えて突出している端部領域を引くことにより、収容空間の位置およびサイズを変更することができる。
【００１１】
収容部は、その一方の端部領域が保持装着システムと位置調節可能に連結されないことも可能で、この場合、体のサイズに合わせるのは、他方の端部と保持装着システムとの間での位置調節可能な連結により行われる。
【００１２】
有用な場合、保持装着システムにおける連結部材は、硬く挟む機能を利用し、これにより、とりわけ収容空間の位置とサイズを維持し、ないし、子供を設定とおりに被覆し続ける。さらなる好適な実施形態では、収容部が位置調節可能に連結されている連結部は、リング対により形成されており、収容部の端部領域は、このリング対を通って導かれ、リング対により変位可能に挟まれている。
このためには、収容部の端部領域は、双方のリングを通って、その後折り返され、再度双方のリングのうちの第１のリングを通って導かれる。収容部の中央の領域により規定された収容空間の位置およびサイズは、リングから突出している端部領域を引くことにより変更されうる。有用な場合、リングは、収容部の端部領域を通って少なくとも部分的に隠され、その結果、赤ん坊または子供が、これに挟まれるされうることがなく、かつ、これらのリングが、担い手の体を押し付けられうることもない。リングは丸い形状以外の形状を有することもでき、迫台でいくつかの部分に分割されることもできる。
さらに、連結部材は、スナップまたはカラビナのように開閉させてもよく、例えば、肩ベルトにある留め輪を通って導かれて、閉じられることもできる。連結部材として、例えば、少なくとも１つの迫台を備えた締め付け留め具またはラダーバックルも考慮され、この場合、迫台は可動でありえる。
【００１３】
好適な実施形態では、さらに、少なくとも１つの連結部が、保持装着システムに位置調節可能に設けられている。肩ベルトの長さは、好ましく担い手の体のサイズに合わせられうる。これについて、例えば、位置調節部材または固定装置を設けることができる。または、肩ベルトが例えば担い手の体の周りに連結される。２つの肩ベルトが交差することなく伸びている場合には、双方の肩ベルトが、解除可能であるのが有用であり、例えばいわゆる胸ベルトにより互いに連結され、肩を越えて滑り落ちるのが回避される。場合によっては肩ベルト間で連結されることにより、担い手の体のサイズに合わせられることができる場合に有用であり、ある構成では、肩ベルトにおいて変位可能である。ある構成では、連結部材（例えば、リング）も、双方の肩ベルトにおいて、および、収容部に対向する体の側面においてそれぞれ、追加的に互いに連結されることができ、この場合も、この連結部が、担い手の体のサイズに合わせられうるので有用である。
【００１４】
収容部は、例えば１つまたは複数の部分からなりえないし、１つまたは複数の層からなりえ、ここで、複数の部分は、例えば固定装置を介して解除可能に連結されることができ、赤ん坊または子供の足および／または腕用の開口部を有することができ、タックを有することができ、また、例えばとりわけ端部領域において皺が寄っている。端部領域は、例えば、折り曲げがゆえに、または、タックにより、または、切りこみにより、より狭くなって伸張して終わることができるが、しかし、終端部に向かってより広くすることもできる。
収容部は、全体的にまたは部分的に、生地、布、クッション、または、網状に形成することも可能で、ないし、全体的にまたは部分的に、（例えば、発砲スチロールなどで）クッションを入れたり、補強したりすることもできる。
【００１５】
とりわけ、子供の背中ないし脊柱の領域では、収容空間を、折り曲げ可能ではなくまたはひだを寄せることができず、ほぼ弾力性がないように、または少したわむだけであるように補強することも可能である。この補強は、収容される子供の背中領域を追加的に支持するという利点がある。この補強は、収容部の全幅または幅の一部分のみを含みうる。少なくとも、収容部の端部領域は、いずれにしても、実質的に折り曲げ可能であり、ないしひだを寄せることができ、とりわけ、繊維材料からなる。
【００１６】
さらに、収容部のサイズ（長さおよび／または幅）が調節可能である。収容部において、１つまたは複数の固定装置が互いに連結可能であれば、収容部を小さくすることができる。少なくとも２つの位置ないしサイズを採ることが可能である。収容部は、その幅および／または長さに応じて、一回または複数回だけ折畳み、これにより、より小さくすることができ、このようにして保持装着システムと連結することができる。
【００１７】
収容部にはマークを設けることができ、これにより連結部材から突出するないし保持装着システムを越えて突出する収容部の双方の端部領域の長さを、ほぼ同じ長さに設定することができる。
【００１８】
さらなる利点は、赤ん坊または子供を、布のキャリアよりも実質的により容易に収容できる点にある。布のキャリアとは異なり、担い手は、まず、保持装着システムを自分の体の大きさにあわせ、まだ連結されていない場合、収容部を保持装着システムと連結し、その後に初めて赤ん坊または子供を収容部中に収容する。その後に、担い手は、収容空間を、収容される体に合わせるだけでよい。袋のような収容空間は、このようにして収容される体のサイズに合わせた後は、この体のサイズにぴったり合致する。収容部が連結部材により硬く挟まれると、次に身に着ける際に毎度新たに収容部を合わせるには及ばず、設定された位置で再び用いることができる。
【００１９】
連結部から突出した、または、保持装着システム（例えば、肩ベルト）を越えて突出した収容部の１つまたは２つの端部領域は、とりわけ、その長さに応じて、さらに多様に導かれることができ、例えば、この端部領域は、単に垂れ下がることもでき（前提条件は、収容空間の位置が、例えば硬く挟むことにより確実に保持されていることである）、ポケットの中に、または、腰ベルトがある場合にはこの腰ベルト中に詰め込むこともでき、または、互いに連結することもでき、または肩ベルトと連結することも可能である。
【００２０】
連結部から突出した、または、保持装着システム（例えば、肩ベルト）を越えて突出した収容部の１つまたは２つの端部領域は、長さがしかるべき場合には、赤ん坊のでん部および／または足の下で、および／または、交差して、収容部を越えて導かれることができ、ここで、この端部領域は、好ましくは、１つまたは複数の留め輪を通って、または、環を通って引かれる。この留め輪／環の位置づけにより、収容部が、その高さに応じて所定の位置に保持され、収容部が下方に滑り落ちることができず、結果として、赤ん坊または幼児の上背部が追加的に支持され、ないし、子供／赤ん坊がキャリア装置から後方にひっくり返らず、および／または、赤ん坊がキャリア装置から下方に落ちない。これらの留め輪は、開閉可能にすることができる。収容部には、端部領域が貫通するための開口も設けられうる。
【００２１】
収容部は、さらに、腰ベルトシステムと解除可能にまたは解除不可能に連結可能である。この腰ベルトシステムは、必要に応じてクッション部分を有し、肩ベルトシステムと共に、保持装着システムに連結可能である。これに関して、例えば、固定装置（例えば、ファスナーまたはマジックテープ（登録商標））を、腰ベルトシステムおよび収容部に設けることができ、これらの固定装置が互いに連結しうる。
【００２２】
収容部において、腰ベルトシステム、および／または、保持装着システムに対するさらなる連結部を位置づけることにより、１つまたは複数の余分の領域が、収容空間の上方および／または下方に生じ、これらが畳み込みまたは折り重なることができる。端部領域は、これにしたがって、赤ん坊／子供の周りで引っ張られる収容空間よりも広い。これにより、赤ん坊／子供の周りで引っ張られる収容空間が、赤ん坊／子供の背中の少なくとも一部分が覆われうるだけ広さを有するので有用である。逆に、端部領域は、包み込みが膝窩部に到達するほど広くなっている。
【００２３】
本発明のキャリア装置には、さらに、頭部分を設けることができ、これは、担い手の上半身で収容されている赤ん坊または子供の頭、首筋または上背部を支持し、ないし、日よけとして機能しうる。頭部分は、上方の延長部として機能し、かつ、例えば、弾性を有するストラップによりひだが寄っている。頭部分の長さおよび／または引き締め部分は位置調整可能であるので、有用である。頭部分は解除可能にまたは解除不可能に、肩ベルトおよび／または収容部と連結可能であり、ないし、保持装着システムないし肩ベルトと、収容部との間で位置づけることができる。
【００２４】
収容部が保持装着システムと解除可能に連結されている場合には、収容部は、保持装着システムとは別に、布のキャリアとして用いることができ、または、収容部がリングと連結される際には、いわゆる「リングスリング」として用いることができる。
【００２５】
キャリア装置の個別の部分は、例えば、結んでひとつにまとめることにより、または、差込連結部タイプの留め具装置により、解除可能に連結できる。これ以外の連結部可能性（例えば、スナップボタン、マジックテープ（登録商標）、ファスナー）も想定可能で、これらは、被覆手段により覆われることができ、または、クッションが入れられることができ、したがって、収容される赤ん坊もしくは子供に対して、または、担い手に対して押圧する箇所が生じない。とりわけ、収容部と保持装着システムとを連結するための連結部材は、その中に収容される赤ん坊または子供が挟まれないように隠されている。差込連結部タイプの留め具装置は、位置調節装置と共に形成されている場合有用である。
【００２６】
本発明の更なる詳細、特徴および利点は、図面に基づいた以下の実施形態の記載より明らかである。
【図面の簡単な説明】
【００２７】
【図１】本発明のキャリア装置の第１実施形態の担い方を示した図であり、幼児が担い手の上半身の前で担われている図である。
【図２】第２実施形態の担い方を示した図であり、幼児が担い手の背中で担われている図である。
【図３】図２の担い手の上半身を示す図である。
【図４】第３実施形態を示す図であり、ここでは、担い手の体の周りおよび赤ん坊の体の周りで結び付けられている図である。
【図５】第４実施形態を示す図であり、ここでは、担い手の体の周りおよび赤ん坊の体の周りで結び付けられている図である。
【図６】図１の実施形態の第２の担い方を示す図であり、ここでは、幼児はその背中を担い手に向けて担われている図である。
【図７】さらなる実施形態のさらなる担い方を示す図であり、ここでは、幼児はその背中を担い手に向けて担われている図である。
【図８】さらなる実施形態を示す図であり、ここでは、幼児の上背部が自由部分により支持されている図である。
【図９】さらなる実施形態を示す図であり、ここでは、収容空間が補強されている図である。
【図１０】さらなる実施形態を示す図であり、ここでは、収容部の端部領域が、位置調節可能ではなく保持装着システムに連結されている。
【図１１】図１０中の担い方および実施形態の第２の図である。
【図１２】さらなる実施形態を示す図であり、ここでは、端部領域が１つのリングによってのみ導かれている図である。
【図１３】さらなる実施形態を示す図であり、ここでは、肩ベルトが収容部に解除不可能に連結されている図である。
【図１４】さらなる実施形態を示す図であり、ここでは、端部領域が肩ベルトの後方に導かれ、これにより保持装着システムと連結されている図である。
【図１５】保持装着システムのある実施形態を示す図である。
【図１６】本発明のキャリア装置のさらなる実施形態を示す図であり、ここでは、１つの端部領域が、解除不可能に保持装着システムと連結されうる図である。
【図１７】さらなる実施形態を示す図であり、ここでは、収容部が、保持装着システムにおいて連結ベルトの後方に導かれている図である。
【図１８】ある実施形態を示す図であり、ここでは、収容部が肩ベルトの後方に、かつ連結ベルトの後方に導かれる図である。
【図１９】本発明のキャリア装置のさらなる実施形態を示す図である。
【図２０】本発明のキャリア装置の収容部のある実施形態を示す図である。
【発明を実施するための形態】
【００２８】
同じ参照符号は、これ以降、等しいまたは同様の構成部品に関連する。留め具部材の使用およびその空間配置は例示的なものである。
【００２９】
図１は、本発明のキャリア装置の第１の実施形態の担い方を示す図である。この例では、幼児２の収容が図示されている。幼児の上半身は、担い手１の上半身に担われている。クッションの入った２つの肩ベルト５が、担い手１の肩の上にそれぞれ伸びている。前方肩ベルト端部５および後方肩ベルト端部５が、リング７、８と解除不可能に連結されていて、環を形成している。ベルトストラップ２３は、リング７、８に連結され、肩ベルト後方端部５に位置づけられた位置調節部材１１に位置調節可能に連結されている。位置調節部材１１により、ベルトストラップ２３、したがって肩ベルト５の長さを、担い手１の体のサイズに合わせることができ、担い手１の側方で、リング７、８の理想的な位置が設定されうる。収容部１６は肩ベルト５とつながれているが、これは、この収容部１６と連結されたベルトストラップ２４を介して、および、（ベルトストラップ２４に位置づけられた）プラスチックバックル１５と（肩ベルト５に位置づけられた）プラスチックバックル部分６とを用いてつながれている。
ここで、プラスチックバックル部分１５と一体形成された位置調節部材１４を用いて、ベルトストラップ２４を、収容される幼児２の体のサイズに合わせる。このように追加的に収容部１６を肩ベルト５と連結することで、収容空間３は、追加的に、その高さに応じて、設定された位置に保持され、これにより、とりわけ、収容空間３が下方に滑り落ちず、幼児２が後方にひっくり返らず、ないし、キャリア装置から後ろ向きに落ちることがない。
収容部１６の各端部領域４、１３は、各肩ベルト５にある双方のリング７、８を通って、その後再度第１のリング７を通る。ここで、各端部領域４、１３は、リング７、８の間で挟まれ、締め直される。収容部１６の端部領域１３、４は、この実施形態では、端部に向かってより狭くなるように伸びており、さらに、皺がよっている。そして、これらの端部領域は、ベルトストラップ２５と連結されている。端部領域１３は、幼児２のでん部の下を通り、この図では幼児により隠れているが、留め輪４１（図２）を通って導かれ、端部領域４と交差する。
さらに、端部領域１３は、（この図では、幼児２により隠れている）肩ベルト５にある留め輪３４を通って導かれ、（ベルトストラップ２５に設けられている）プラスチックバックル部分１５と、（肩ベルト５に位置づけられている）プラスチックバックル部分６により、他方の肩ベルト５に連結されている。プラスチックバックル部分１５と一体に形成された位置調節部材１４により、ベルトストラップ２５は、幼児２の体のサイズに合わせられる。収容部１６の第２の端部領域４は、図１では、幼児２により隠れているが、他方の不図示の肩ベルト５にあるリング７、８を通って、その後、再度リング７を通って導かれ、リング間で硬く挟まれる。これを乗り越えた端部領域４は、幼児２のでん部の下を通り、留め輪４１（図２）を通って第１の端部領域１３と交差し、留め輪３４を通り、端部領域４に位置づけられているベルトストラップ２５ならびに（ベルトストラップ２５に位置づけられている）プラスチックバックル部分１５および（肩ベルト５に位置づけられている）プラスチックバックル部分６を介して、この図で図示された肩ベルト５と連結されている。プラスチックバックル部分１５と一体形成された位置調節部材１４を、ベルトストラップ２５が、収容される幼児２の体のサイズに合わせられる。
ベルトストラップ４０は、プラスチックバックル部分６により、肩ベルト５の他方の側に畳み込むことができる。双方の端部領域４、１３は、担い手１の腰部の周りでも導かれることができ、かつ互いに対して解除可能に連結されるか、垂れ下がるか、または、ポケット部分中に詰め込むことができる。収容空間３は、無段階で幼児２の体のサイズに合わせられ、この被覆は、幼児２の体のサイズにぴったり合致している。布のキャリアの場合と同様、収容空間３は、膝窩部から膝窩部へと伸び、これにより正しいカエル足の姿勢が確実に採れる。
【００３０】
図２は、幼児２が、担い手１の背中に負ぶわれている担い方を示した図である。端部領域４は、リング７、８を通って導かれ、その後再度、第１のリング７を通って導かれる。さらに、端部領域４は、幼児２のでん部の下を導かれ、留め輪４１を通り、この際に、他方の端部領域１３と交差する。ベルトストラップ２４が、肩ベルト５に設けられている。ベルトストラップ２４に位置づけられたプラスチックバックル部分１５およびこれと一体形成された位置調節部材１４ならびにベルトストラップ２４が、連結部材４８を通って導かれ、肩ベルト５においてプラスチックバックル部分６と連結され、その結果、収容部１６が肩ベルト５と連結され、収容部１６ないし収容空間３の高さが固定されて下方に滑り落ちることがなく、また幼児２が後側にキャリア装置から落ちることがない。
ベルトストラップ２４を収容されるべき幼児２の体のサイズに合わせるのは、プラスチックバックル部分１５と一体形成された位置調節部材１４により行われる。ベルトストラップ２３は、肩ベルト下方端部５に位置づけられ、この図では不図示の位置調節部材１１（図１）と、リング７、８とに連結され、この図では不図示の位置調節部材１１により担い手１の体のサイズに合わせられている。端部領域１３は、この図では不図示の他方の肩ベルト５に位置づけられたリング７、８を通り、再度リング７を通り、留め輪４１を通り、第１の端部領域４と交差し、幼児２のでん部の下を通って導かれる。
収容空間３は、リング７、８から突出している端部領域４、１３を引くことにより、幼児の体のサイズに合わせられ、この被覆が、幼児２の体のサイズにぴったり合致している。ベルトストラップ４０が肩ベルト５に位置づけられ、ベルトストラップ４０に配されているプラスチックバックル部分６は、肩ベルト５の前方から（図１に図示）、肩ベルト５の後方までベルトストラップ４０と共に畳み込み、かつ、端部領域１３ないし端部領域４でプラスチックバックル部分１５と連結されている（図３に図示）。収容部１６は、さらに、ファスナーにより、腰ベルト２７と解除可能に連結されている。頭部分を取り付けるために、収容部１６にはファスナー４７が設けられ、肩ベルト５にはスナップボタン４６が設けられている。頭部分は、ひだを寄せることもでき、またはピンと張ることもできる。
【００３１】
図３は、背中に子供を担っている担い手（図２）の上半身を前から示した図である。クッションの入った腰ベルト２７はプラスチックバックル部分１５、６で締められている。腰ベルト２７に位置づけられかつプラスチックバックル部分１５、６と連結されているベルトストラップ３８の長さが、位置調節部材１４により、担い手１の体のサイズに合わせられている。端部領域４、１３、ないし、端部領域４、１３に設けられたベルトストラップ２５は、留め輪９を通って導かれ、プラスチックバックル部分１５、６を介して肩ベルト５と連結されている。
プラスチックバックル部分１５と一体形成された位置調節部材１４により、ベルトストラップ２５が、収容される幼児２の体のサイズに合わせられる。双方の肩ベルト５は、ベルトストラップ３６（ベルトストラップ３６は、肩ベルト５に位置づけられている）において変位可能な胸ベルト３７により、互いに連結されている。
胸ベルト３７も、位置調節可能なプラスチックバックル１５、６を有し、ベルトストラップ３７は、位置調節部材１４により、担い手の体のサイズに合わせられることができる。胸ベルト３７により、リングが最適な位置、すなわち、有用には担い手の側方の位置を採るのを助ける。しかし、胸ベルト３７は、肩ベルトの代わりに、この図中では不図示のリング７、８対に連結されることもでき、この場合には、この担い方の変形例では、胸ベルト３７が担い手１の上半身を越えて伸びている。幼児２が、担い手１の上半身に担われている場合には、胸ベルト３７は背中側で伸びる。
【００３２】
図４および図５は、キャリア装置が、プラスチックバックルを有していず、かつ、担い手１の体と赤ん坊２０ないし幼児２の体との周りを結び付けて身に着けられている実施形態を示す。前方の肩ベルト端部２９に、リング７、８があり、後方の肩ベルト端部２９が背中で交差した後に、このリング７、８を通って導かれる。図４および図５の実施形態では、後方の肩ベルト端部２９が再び背中に伸び、そこで互いに連結される。あるいは、肩ベルト端部２９は、そこでもまた再び交差し、前方に導かれ、担い手１の側方または上半身で互いに連結されることも可能である。
端部領域４、１３は、リング７、８を通って、その後再度第１のリング７を通り、留め輪４１を通って、赤ん坊２０のでん部のおよび足の下を通り、担い手１の腰部の周りに導かれる。この際、端部領域４、１３は、赤ん坊２０のでん部の下で交差し、担い手１の背中で互いに結び目を作る。これにより、赤ん坊２０は、キャリア装置から下に滑り落ちることがない。収容空間３による赤ん坊２０の包み込みは、赤ん坊２０の体のサイズにぴったり合致している。この実施形態は、担い手１の背中または側方で担う場合にも適用できる。肩ベルト端部２９は、側方で担う場合には、担い手１の肩を越えて交差して伸び、この際、リング７、８は、担い手１の背中または上半身にある。
【００３３】
図５の実施形態では、収容部１６の端部領域１３、４は、収容空間３を越えて横断し、留め輪４３を通って伸び、これにさらに続いて、肩を越えて、背中で交差して、担い手１の腰部の周りで伸び、ここで互いに連結されている。この場合、端部領域１３、４は、収容部１６にある図５では不図示の留め輪４１を通って、幼児２のでん部の下を導かれ、その結果、幼児２は、収容空間３と端部領域４、１３との間で滑り落ちることがない。より小さい子供２の場合には、端部領域４、１３は、留め輪４３ではなく、より深い位置に設けられた留め輪４４を通りうる。端部領域４、１３が、留め輪４３または留め輪４４を通ることにより、収容空間３は、その高さに応じてこの位置に留まり、これにより、幼児２がキャリア装置から後側にひっくり返るないし落ちることがない。この実施形態も、担い手１の背中または側方で担う場合にも適用できる。
【００３４】
図６は、幼児２が、担い手１の前方で収容空間３中に座わるというさらなる担い方を示す図である。端部領域４、１３は、それぞれ、リング７、８を通って、その後再度第１のリング７を通り、続いて、留め輪４１を通り、幼児２の体で交差し、幼児２の腕の下を導かれ、プラスチックバックル部分１５、６により、肩ベルト５と連結される。この際、端部領域４、１３の端部に位置づけられたベルトストラップ２５が、プラスチックバックル部分１５と一体形成された位置調節部材１４により、幼児の体のサイズに合わせられうる。この実施形態では、端部領域４、１３ないしベルトストラップ２５は、留め輪３４を通らない。収容部１６は、留め具部材１５、６により、肩ベルト５と連結されている。ベルトストラップ２４が、位置調節部材１４により、幼児２の体のサイズに合わせられている。幼児２の足は、収容空間３中にあってもよい。この変形例では、とりわけ赤ん坊または小さい幼児２を、ほぼ横たわった位置で収容することも可能である。
【００３５】
図７は、本発明のキャリア装置のさらなる実施形態を示す図である。端部領域１３、４は、ここでは図示していないが、それぞれ、リング７、８を通って、その後再度第１のリング７を通って導かれる。幼児２は、その背中を担い手１の上半身に向けて、収容空間３中に座っている。収容空間３は、幼児２の膝窩部から膝窩部へと達し、このようにして、この位置で確実に整形外科的に正しいカエル足の姿勢を採ることができる。収容部１６に設けれられたベルトストラップ２４が幼児２の体の上を導かれ、このベルトストラップ２４が、（ベルトストラップ２４に連結されている）プラスチックバックル部分１５と（肩ベルト５に位置づけられている）プラスチックバックル部分６とにより、肩ベルト５に連結されている。プラスチックバックル部分１５と一体形成された位置調節部材１４により、ベルトストラップ２４は、幼児２の体のサイズに合わせられている。幼児２の足は、ベルトストラップ２４の間、または、収容空間３中にもありえる。この変形例でも、とりわけ赤ん坊またはより小さい幼児を、ほぼ横たわった位置で収容することも可能である。
【００３６】
図８は、本発明のキャリア装置のさらなる実施形態を示す図である。収容された幼児２は、膝窩部から背中のほぼ中央あたりまでが、収容空間３に包み込まれている。上背部は、自由部分８４（これは、収容空間３の上の領域と連結されているが、収容部１６の端部領域４、１３とは連結されていない部分）により支持される。自由部分８４に位置づけられたベルトストラップ２４は、ベルトストラップ２４に位置づけられたプラスチックバックル部分１５により、肩ベルトのプラスチックバックル部分６と連結されていて、位置調節部材１４により、幼児２の体のサイズに合わせられている。端部領域４、１３は、リング７、８を通って導かれ、その後折り返され、再度双方のリングのうちの第１のリング７を通って導かれ、このようにして、リングから変位可能に硬く挟まれる。収容部１６は、肩ベルト５に位置調節可能に連結されており、幼児２と共に成長する。自由部分８４により、幼児２の腕の自由度が確保される。閉じているファスナー５５を開くと、自由部分８４を大きくすることができる。しかし、自由部分８４を、解除不可能に肩ベルト５と連結することも可能である。
【００３７】
図９では、収容空間３において硬い背板９８が設けられており、これにより、収容空間３が折り曲げられず、ひだを寄せたりできないように、しかし、軽くたわむことは可能なように補強されている。逆に、端部領域１３、４は、折り曲げ可能であり、ないしひだを寄せることができ、リング７、８を通って導かれ、その後折り返され、再度第１のリング７を通って導かれ、これにより、端部領域１３、４は、変位可能に硬く挟まれる。。
【００３８】
図１０では、収容部１６が、端部領域４でここで図示されている肩ベルト５と位置調節不可能に連結されている実施例を示す。収容部１６の端部領域４は、いくつも皺が寄せられ、このようにして、肩ベルト５と解除可能ではなく、かつ位置調節可能ではなく連結されている。収容空間３を幼児２の体のサイズに合わせているのは、ここでは不図示の他方の端部領域１３と、他方の肩ベルト５に設けられたここでは不図示のリング７、８（図１１）との位置調節可能な連結である。
【００３９】
図１１は、図１０中に描かれた実施形態の第２の図である。この図中では、収容部１６の端部領域１３が、まず、双方のリング７、８を通って、その後折り返されて、再度双方のリングのうちの肩ベルト５にある第１のリング７を通っているのがわかる。収容空間３を幼児２の体のサイズに合わせているのは、リング７、８から突出した端部領域１３をその後引くことにより行われる。端部領域１３は、リング７、８により変位可能に硬く挟まれており、この実施形態では垂れ下がっている。
【００４０】
図１２は、さらなる実施形態を示す図である。収容部１６の端部領域１３、４は、この図中では、肩ベルト５にあるそれぞれ１つのリング７のみを通り、幼児２のでん部の下を通って導かれ、ここで、端部領域１３、４は交差し、環１１０（図２０）を通って導かれる。端部領域１３、４は、さらに、担い手１の腰部の周りを導かれ、担い手の背中で（この図では不図示の）結び目を作ることにより互いに連結されている。端部領域１３、４が、肩ベルト５にあるそれぞれ１つのリング７を通ってガイドされ、リング７から突出する端部領域１３、４を引くことにより、収容空間３が収容される幼児２の体のサイズに合わせられる。幼児２のでん部の下で端部領域１３、４が交差することにより、また、腰部の周りで結び付け、結び目によって端部領域１３、４を互いに連結することにより、収容部１６はこの位置に保持され、ないし設定された幼児２の包み込みは保持される。肩ベルト５は、この場合、布状の材料からなり、担い手１の肩を越えて広がりうる。
【００４１】
図１３は、本発明のキャリア装置の実施変形例を示す図であるが、この図中、収容部１６は、前方の肩ベルト端部５と解除不可能に連結されている。リング７、８は、ベルトストラップ２３と連結されており、ベルトストラップ２３はプラスチックバックル部分１５と連結されており、プラスチックバックル部分１５は、後方肩ベルト端部５に位置づけられたプラスチックバックル部分６と連結され、これにより、肩ベルト５の双方の端部が、リング７、８により、環に閉じられている。プラスチックバックル部分１５と一体形成された位置調節部材１４により、ベルトストラップ２３は、担い手の体のサイズに合わせられることができる。リング７、８は、端部領域１３、４を変位可能に硬く挟み、端部領域１３、４は、この実施形態では垂れ下がっている。
【００４２】
図１４は、本発明のキャリア装置のさらなる実施形態を示す図である。肩ベルト５は、担い手１の肩の上を伸び、環を形成している。前方の肩ベルト端部５は、ここでは、端部領域１３により隠れているが、ベルトストラップ２３と連結されており、ベルトストラップ２３は位置調節部材１１と連結されており、位置調節部材１１は後方の肩ベルト５と連結されている。位置調節部材１１により、ベルトストラップ２３は、担い手１の体のサイズに合わせられる。収容部１６の端部領域１３、４は、肩ベルト５の後方に導かれ、（この図では不図示であるが）幼児のでん部の下で交差し、担い手１の腰部の周りを導かれ、担い手１の背中（この図では不図示）で結び目を作ることにより互いに連結されている。
端部領域４、１３が、肩ベルト５の後方に導かれ、肩ベルト５を越えて突出する端部領域１３、４を引くことにより、収容空間３は、幼児２の体のサイズにぴったり合わせられる。結び目によって端部領域１３、４を連結することにより、収容空間３は、この幼児２の体のサイズにあった位置に保持される。端部領域１３、４のうちのいずれか１つのみを、肩ベルト５と位置調節可能に連結することも可能である。
【００４３】
図１５は、保持装着システムのある構成を示す図である。前方肩ベルト端部５も後方肩ベルト端部５も、連結ベルト１１１と連結されている。保持装着システムを身に着けると、肩ベルト５は、担い手のそれぞれの肩の上で伸び、連結ベルト１１１は、担い手の胸の周りないしお腹の周りで伸びる。連結ベルト１１１および肩ベルト５は、ある構成では、担い手の体のサイズに合わせることができる、および／または、開閉することができる。ある構成では、連結ベルト１１１は、肩ベルト５でスライド可能である。収容部は保持装着システムと連結可能である。すなわち、前方肩ベルト端部５同士の間、後方肩ベルト５と前方肩ベルト５との間、後方肩ベルト端部５同士の間、および／または、肩ベルト５同士と連結可能である。収容部１６を保持装着システムと連結するための連結部材が設けられれば、この連結部材は位置調節可能に保持装着システムに位置づけられうる。
【００４４】
図１６は、収容部１６の一方の端部領域４のみが、保持装着システムと位置調節可能に連結可能である実施形態を示す図である。端部領域４が、リング７、８を通って導かれ、折り返され、その後再度第１のリング７を通って導かれると、端部領域４は、リング７、８によって変位可能に硬く挟まれる。端部領域１３は、端部領域１３に位置づけられたベルトストラップ２４およびベルトストラップ２４と連結されたプラスチックバックル部分１５により、肩ベルト５に位置づけられたプラスチックバックル部分６と連結されうる。ベルトストラップ２４は、プラスチックバックル部分１５と一体形成された位置調節部材１４により、子供／赤ん坊ないし担い手の体のサイズに合わせられうる。端部領域４がリング７、８と位置調節可能に連結されることにより、収容空間３が子供／赤ん坊の体のサイズに合わせられる。
【００４５】
図１７は、対象となる発明のさらなる実施形態を示す図である。端部領域１３、４は、ここでは、肩ベルトの前方を通過し、連結ベルト１１１の後方に導かれる。保持装着システムないし連結ベルト１１１を越えて突出する端部領域４、１３を引くことにより、収容空間３を子供／赤ん坊の体のサイズに合わせうる。
【００４６】
図１８は、対象となる発明のさらなる実施形態を示す図である。端部領域１３、４は、ここでは、肩ベルト５の後方に、かつ、連結ベルト１１１の後方に導かれる。保持装着システムないし連結ベルト１１１を越えておよび肩ベルト５から突出する端部領域４、１３を引くことにより、収容空間３を子供／赤ん坊の体のサイズに合わせうる。
【００４７】
図１９は、本発明キャリア装置のさらなる実施形態を示す図である。リング７、８は、（この図中では不図示であるが）位置調節可能に肩ベルト５に位置づけられる。端部領域４、１３が、それぞれリング７、８を通って導かれ、折り返され、再度双方のリングのうちの第１のリング７を通って導かれると、リング７、８から突出する端部領域４、１３を引くことにより、収容空間３を、収容される子供／赤ん坊の体のサイズにぴったり合わせることができる。この実施形態では、端部領域４、１３は収容空間３よりも狭くなっている。
【００４８】
図２０は、収容部１６のある実施形態を示す図である。ベルトストラップ２４は収容部１６に位置づけられており、ベルトストラップ２４に連結されたプラスチックバックル部分１５により、保持装着システムに連結されることができ、プラスチックバックル部分１５と一体形成された位置調節部材１４により、ベルトストラップ２４を幼児／赤ん坊の体のサイズに合わせることができる。
端部領域１３、４は、保持装着システムと位置調節可能に連結されうる。留め輪５８は、固定部１０４領域中で収容部１６と連結されている。留め輪５８は、固定部１０４の領域を除くと、畳み込むことができる。この図では不図示の留め輪５８の裏側には、マジックテープ（登録商標）があり、これが、腰ベルトシステムにあるマジックテープ（登録商標）と連結可能であり、ここで、留め輪５８がこの図で見える側がマジックテープ（登録商標）なしに担い手の体側にあるようにして、腰ベルトを担い手の腰部の周りで締めることができる。留め輪５８とベルトストラップ２４とを収容部１６に位置づけることにより、収容空間３の上方と下方とに、余分な領域５７が生じる。
端部領域４、１３が保持装着システムと連結されると、この余分の領域５７を折りたたむことができ、これにより収容空間３が端部領域４、１３よりも狭くなる。図１２に示したように、幼児を腰ベルトシステムなしに担う場合には、幼児は留め輪５８上に座る。端部領域１３、４は、肩ベルトまたは連結部材と連結した後に、環１１０を通って導かれ、ここで、端部領域４、１３は交差し、これに続いて、端部領域４、１３は、足の下および担い手の腰部の周りで結び付けられ、結び目により連結可能になる。これにより、子供がキャリア装置から下にすべり落ちない。
【００４９】
対象となる発明は、説明をした実施形態に限定されない。とりわけ、明細書本文、図面および請求項から明らかになり、かつ詳細に説明された全ての特徴、特長および利点（これには、空間的な配置を含む）、構成の詳細および細部、ならびに、方法工程および方法経過は、それ自身としても、様々に組合せた形でも、変更および変形例も、本発明の本質的な事柄であり、重要である。
【図１】
0005647245.tif 000002
【図２】
0005647245.tif 000003
【図３】
0005647245.tif 000004
【図４】
0005647245.tif 000005
【図５】
0005647245.tif 000006
【図６】
0005647245.tif 000007
【図７】
0005647245.tif 000008
【図８】
0005647245.tif 000009
【図９】
0005647245.tif 000010
【図１０】
0005647245.tif 000011
【図１１】
0005647245.tif 000012
【図１２】
0005647245.tif 000013
【図１３】
0005647245.tif 000014
【図１４】
0005647245.tif 000015
【図１５】
0005647245.tif 000016
【図１６】
0005647245.tif 000017
【図１７】
0005647245.tif 000018
【図１８】
0005647245.tif 000019
【図１９】
0005647245.tif 000020
【図２０】
0005647245.tif 000021